(57)【要約】  ＢＣＡＳＴサービスを支援する無線通信システムにおいてＰｏＣサービスを提供する方法及び装置に関する。ＢＣＡＳＴサービスを支援する無線通信システムにおけるＰｏＣサービスのために、ＢＣＡＳＴサービスを通じてＰｏＣサービスに加入された第１の端末がアップリンク専用ベアラーを介してＰｏＣサービスのためのユーザデータを伝送し、ユーザデータは、アップリンク専用ベアラーを介してＰｏＣサービスを制御するＰｏＣサーバーに到達する。ＰｏＣサーバーは、ＢＣＡＳＴサービスを制御するＢＣＡＳＴサーバーへユーザデータを伝送し、ユーザデータは、ＢＣＡＳＴサーバーからダウンリンク共用ベアラーを介してＰｏＣサービスに加入された複数の第２の端末に到達する。本発明は、ＢＣＡＳＴサービスの運営主体とＰｏＣサービスの運営主体間における効率よい通信方法を提供する。
2008510414.tif 000002
【特許請求の範囲】
【請求項１】
ＢＣＡＳＴサービスを支援する無線通信システムにおけるＰｏＣサービスの提供方法であって、
ＢＣＡＳＴサービスを通じてＰｏＣサービスに加入された第１の端末がアップリンク専用ベアラーを介してＰｏＣサービスのためのユーザデータを伝送するステップと、
前記ユーザデータが前記アップリンク専用ベアラーを介して前記ＰｏＣサービスを制御するＰｏＣサーバーに到達するステップと、
前記ＰｏＣサーバーが前記ＢＣＡＳＴサービスを制御するＢＣＡＳＴサーバーへ前記ユーザデータを伝送するステップと、
前記ユーザデータが前記ＢＣＡＳＴサーバーからダウンリンク共用ベアラーを介して前記ＰｏＣサービスに加入された複数の第２の端末に到達するステップと、を具備することを特徴とするＰｏＣサービスの提供方法。
【請求項２】
前記第１の端末及び前記複数の第２の端末が前記ＰｏＣサービスに登録し、前記ＢＣＡＳＴサービスに加入すれば、前記ＰｏＣサーバーと前記ＢＣＡＳＴサーバーとが前記第１の端末及び前記複数の第２の端末に関する情報をやり取りし、前記ＰｏＣサーバーから前記ＢＣＡＳＴサーバーへ伝送される前記ユーザデータのためのベアラーを設定するステップをさらに具備することを特徴とする請求項１に記載の方法。
【請求項３】
ＢＣＡＳＴサービスを通じてＰｏＣサービスを支援する無線通信システムにおける前記ＢＣＡＳＴサービスを制御するＢＣＡＳＴサーバーの動作方法であって、
前記ＰｏＣサービスのための前記ＢＣＡＳＴサービスを要求する端末に関する情報を前記ＰｏＣサービスを制御するＰｏＣサーバーへ伝送し、該関連情報を前記ＰｏＣサーバーとやり取りするステップと、
前記ＰｏＣサーバーから前記ＢＣＡＳＴサーバーへの前記ＢＣＡＳＴサービスのためのアップリンク専用ベアラーを設定するステップと、
前記端末をサービスするＰＳドメインサーバーと前記ＢＣＡＳＴサーバー間における前記ＢＣＡＳＴサービスのためのダウンリンク共用ベアラーを設定するステップと、
前記ＰｏＣサーバーから前記アップリンク専用ベアラーを介して前記ＢＣＡＳＴサービスのための前記端末のユーザデータを受信し、前記ダウンリンク共用ベアラーを介して前記ＰＳドメインサーバーへ前記ユーザデータを伝送するステップと、を具備することを特徴とするＢＣＡＳＴサーバーの動作方法。
【請求項４】
ＢＣＡＳＴサービスを通じてＰｏＣサービスを支援する無線通信システムにおける前記ＰｏＣサービスを制御するＰｏＣサーバーの動作方法であって、
前記ＢＣＡＳＴサービスを制御するＢＣＡＳＴサーバーから前記ＢＣＡＳＴサービスを通じて前記ＰｏＣサービスを要求する端末に関する情報を受信し、該関連情報を前記ＢＣＡＳＴサーバーとやり取りするステップと、
前記端末をサービスするＰＳドメインサーバーから前記ＰｏＣサーバーを通じて前記ＢＣＡＳＴサーバーへの前記ＰｏＣサービスのためのアップリンク専用ベアラーを設定するステップと、
前記ＰＳドメインサーバーから前記アップリンク専用ベアラーを介して前記ＰｏＣサービスのための前記端末のユーザデータを受信し、前記アップリンク専用ベアラーを介して前記ＢＣＡＳＴサーバーへ前記ユーザデータを伝送するステップと、を具備することを特徴とするＰｏＣサーバーの動作方法。
【請求項５】
ＢＣＡＳＴサービスを通じてＰｏＣサービスを支援する無線通信システムにおける前記ＢＣＡＳＴサービスを通じて前記ＰｏＣサービスを利用する端末をサービスするＰＳドメインサーバーの動作方法であって、
前記ＢＣＡＳＴサービスを通じて前記ＰｏＣサービスを要求する端末をサービスするＲＡＮを介して前記端末から前記ＰＳドメインサーバーへのアップリンク専用ベアラーを設定するステップと、
前記ＢＣＡＳＴサービスを制御するＢＣＡＳＴサーバーから前記ＰＳドメインサーバーへの前記ＢＣＡＳＴサービスのためのダウンリンク共用ベアラーを設定するステップと、
前記開始メッセージを前記ＲＡＮへ伝送し、前記ＰＳドメインサーバーから前記ＲＡＮを介して前記端末への前記ＢＣＡＳＴサービスのためのダウンリンク共用ベアラーを設定するステップと、
前記ＲＡＮを経由して前記端末から前記アップリンク専用ベアラーを介してユーザデータを受信し、該ユーザデータを前記ＰｏＣサービスを制御するＰｏＣサーバーへ伝送するステップと、
前記ＢＣＡＳＴサーバーから前記ＢＣＡＳＴサービスのためのＢＣＡＳＴサービスデータを受信し、該ＢＣＡＳＴサービスデータを前記ＲＡＮを経由して前記ダウンリンク共用ベアラーを介して前記端末へ伝送するステップと、を具備することを特徴とするＰＳドメインサーバーの動作方法。
【請求項６】
ＢＣＡＳＴサービスを通じてＰｏＣサービスを支援する無線通信システムにおける前記ＢＣＡＳＴサービスを通じて前記ＰｏＣサービスを利用する端末をサービスするＲＡＮの動作方法であって、
端末から無線接続要求を受信し、前記端末の無線接続を設定するステップと、
前記端末をサービスするＰＳドメインサーバーから前記ＰｏＣサービスのための前記ＢＣＡＳＴサービスの開始メッセージを受信し、前記ＰＳドメインサーバーから前記ＲＡＮへのダウンリンク共用ベアラーを設定するステップと、
前記端末へ前記ＢＣＡＳＴサービスのためのダウンリンク共用ベアラーのチャンネル情報を伝送し、前記端末から前記ＲＡＮへの前記ＰｏＣサービスのためのアップリンク専用ベアラーを設定するステップと、
前記アップリンク専用ベアラーを介して前記端末からユーザデータを受信し、前記ＰＳドメインサーバーを通じて前記ＰｏＣサービスを制御するＰｏＣサーバーへ前記ユーザデータを伝送するステップと、
前記ＰＳドメインサーバーから前記ＢＣＡＳＴサービスのためのＢＣＡＳＴサービスデータを受信し、前記ＢＣＡＳＴサービスデータを前記ダウンリンク共用ベアラーを介して前記端末へ伝送するステップと、を具備することを特徴とするＲＡＮの動作方法。
【請求項７】
ＢＣＡＳＴサービスを通じてＰｏＣサービスを支援する無線通信システムにおける前記ＢＣＡＳＴサービスを通じて前記ＰｏＣサービスを利用する端末の動作方法であって、
前記ＢＣＡＳＴサービスを通じて前記ＰｏＣサービスのために前記端末をサービスするＲＡＮと無線接続を設定するステップと、
前記無線接続を通じて前記端末をサービスするＰＳドメインサーバーに対してパケットドメイン登録を行うステップと、
前記ＰＳドメインサーバーを通じて前記ＰｏＣサービスを制御するＰｏＣサーバーに対して前記ＰｏＣサービス加入を行うステップと、
前記ＰＳドメインサーバーを通じて前記ＢＣＡＳＴサービスを制御するＢＣＡＳＴサーバーに対して前記ＢＣＡＳＴサービス加入を行うステップと、
前記ＲＡＮから前記ＢＣＡＳＴサービスのためのダウンリンク共用ベアラーのチャンネル情報を伝送し、前記端末から前記ＲＡＮへの前記ＰｏＣサービスのためのアップリンク専用ベアラーを設定するステップと、
前記ＰｏＣサービスのためのアップリンク伝送ベアラーを設定し、該アップリンク伝送ベアラーを介してユーザデータを伝送するステップと、
前記ＲＡＮから前記ダウンリンク共用ベアラーを介して前記ＢＣＡＳＴサービスのためのＢＣＡＳＴサービスデータを受信するステップと、を具備することを特徴とする端末の動作方法。
【請求項８】
ＢＣＡＳＴサービスを支援する無線通信システムにおけるＰｏＣサービスを提供するための装置であって、
ＢＣＡＳＴサービスを通じてＰｏＣサービスに加入され、アップリンク専用ベアラーを介してＰｏＣサービスのためのユーザデータを伝送し、ダウンリンク共用ベアラーを介してＰｏＣサービスのためのＢＣＡＳＴサービスデータを受信する複数の端末と、
前記アップリンク専用ベアラーを介して前記複数の端末のいずれかから前記ユーザデータを受信し、前記ダウンリンク共用ベアラーを介して前記複数の端末へ前記ＢＣＡＳＴサービスデータを伝送するＲＡＮと、
前記ＲＡＮに接続され、前記ＢＣＡＳＴサービス及び前記ＰｏＣサービスのために前記複数の端末のパケットドメイン使用許可を認証し、前記端末のために前記アップリンク専用ベアラー及び前記ダウンリンク共用ベアラーを割り当て設定するＰＳドメインサーバーと、
前記ＢＣＡＳＴサービスを制御し、前記ＢＣＡＳＴサービスデータを前記ＰＳドメインサーバーへ転送するＢＣＡＳＴサーバーと、
前記ＰｏＣサービスを制御し、前記ＰＳドメインサーバーから前記ユーザデータを受信して前記ＢＣＡＳＴサーバーへ転送するＰｏＣサーバーと、を備えることを特徴とするＰｏＣサービスの提供装置。
【発明の詳細な説明】
【技術分野】
【０００１】
本発明は、ブロードキャストサービス（Ｂｒｏａｄｃａｓｔ  Ｓｅｒｖｉｃｅ：以下、ＢＣＡＳＴサービスと称す）を支援する無線通信システムに係り、特に、セルラー方式移動通信網上でプッシュ・ツー・トーク  オーバーセルラーサービス（Ｐｕｓｈ  Ｔｏ  Ｔａｌｋ  ｏｖｅｒ  Ｃｅｌｌｕｌａｒ  ｓｅｒｖｉｃｅ：以下、ＰｏＣサービスと称す）を効率よく実現する方法及び装置に関する。
【背景技術】
【０００２】
近来、通信技術の発達によって無線通信システムにおいて提供するサービスは、従来の１：１音声サービスだけでなく、パケットデータ、サーキットデータなどの大容量のデータを伝送するパケットサービス通信に発達してきており、また、該パケット通信への発達に伴い、基幹回線網（Ｃｏｒｅ  Ｎｅｔｗｏｒｋ：以下、ＣＮと称す）にインターネットプロトコル（Ｉｎｔｅｒｎｅｔ  Ｐｒｏｔｏｃｏｌ：以下、ＩＰと称す）技術を基盤とする装置が具備され、その結果、従来の１：１音声サービスだけでなく、ＰｏＣサービスが可能になった。上記ＰｏＣサービスは、基幹回線網としてパケット網を基盤とするため、音声サービスのみならずパケットの伝送にも使い得る。上記ＰｏＣサービスでは、該サービスに加入した多数のユーザに対して、該多数のユーザのうち許可権を得たユーザの音声呼あるいはパケット呼の内容を伝送することにより、上記多数のユーザが情報共有のためにその都度１：１呼を設定しなくても済むようにしている。
【０００３】
図１は、ＰｏＣサービスを実現した移動通信システムの一例を示した図である。
【０００４】
図１を参照すれば、端末１０１と端末１０３とは、それぞれ無線接続網（Ｒａｄｉｏ  Ａｃｃｅｓｓ  Ｎｅｔｗｏｒｋ：以下、ＲＡＮと称す）１１０とＲＡＮ１２０を介して基幹回線網１３０に接続されている。上記ＲＡＮ１１０は、無線網コントローラー（Ｒａｄｉｏ  Ｎｅｔｗｏｒｋ  Ｃｏｎｔｒｏｌｌｅｒ：以下、ＲＮＣと称す）１１１とセルＡ（すなわち、ノードＢまたは基地局）１１３とから構成され、ＲＮＣ１１１は、セルＡ１１３の他、多数のセルを制御することができる。代表的なＲＡＮ技術として、米国標準であるＩＳ―９５シリーズのコード分割移動通信接続網技術と、時分割移動通信技術を使うＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、第３世代同期移動通信標準である３ＧＰＰ２（３ｒｄ  Ｇｅｎｅｒａｔｉｏｎ  Ｐａｒｔｎｅｒｓｈｉｐ  Ｐｒｏｊｅｃｔ  ２）、第３世非同期移動通信標準である３ＧＰＰで提案しているＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）技術などがある。これら異なる無線接続技術は、使う直接的な名称は異なっているものの、上記ＲＮＣ１１１とセルＡ１１３の役割をするエンティティをそれぞれ持っている。
【０００５】
上記ＣＮ１３０は、パケットサービス（以下、ＰＳと称す）ドメインサーバー１３１と、ＰｏＣサーバー１３５、及びＰＳドメインサーバー１３３とを含む。上記ＣＮ１３０には、図１に示したエンティティの他にもサーキットドメインサービスを提供するエンティティ、別のＣＮへの接続に使われるエンティティ、加入者認証及びセキュリティーに使われるエンティティも存在するが、ここでは省略した。ＰＳドメインサーバー１３１は、パケットサービスを所望するユーザあるいはユーザ端末の認証機能、及び上記ユーザあるいはユーザ端末が所望するパケットサービスの支援機能をもっており、これら機能は、ユーザあるいはユーザ端末に対するＰＳドメインの使用認証、移動性管理、データ送受信、データ送受信の制御機能などを含む。ＰｏＣサーバー１３５は、ＰｏＣサービスを支援することができるエンティティであって、ＰｏＣサービスを所望するユーザあるいはユーザ端末に対して、該所望するサービスに応じて上記ユーザあるいはユーザ端末を適宜のグループに分けてＰｏＣができるようにする。
【０００６】
上述した図１に基づき、端末１０１と端末１０３がＰｏＣサービスを利用する一例を説明する。
【０００７】
端末１０１と端末１０３は、セルＡ１１３とセルＢ１２２を介してそれぞれＲＮＣ１１１とＲＮＣ１２１に対して無線接続網の使用許可を要求する。上記ＲＮＣ１１１とＲＮＣ１２１は、無線接続網の使用許可に対して、無線接続のためのベアラー情報を設定し、該ベアラー情報を無線接続網の使用許可の要求に対する応答して上記端末１０１と端末１０３へ伝送する。ここで上記ベアラーとは、各エンティティ間及び終端エンティティ間におけるユーザデータ及び該ユーザデータの伝送に係る制御情報を伝送する経路のことをいい、上記制御情報とは、無線チャンネル情報、有線チャンネル情報、ＲＡＮにおいて使われるプロトコルに関する論理チャンネル情報などを総称する。
【０００８】
ＲＡＮに対する接続許可及びベアラー情報を受信した端末１０１と端末１０３は、それぞれＰＳドメインの使用許可要求を上記ＲＡＮ１１０、１２０において設定したベアラー情報を用いて設定したベアラーを介してＰＳドメインサーバー１３１とＰＳドメインサーバー１３３へ伝送する。上記ＰＳドメインサーバー１３１は、各移動通信技術及び標準ごとに異なる名称を使い、その一例として３ＧＰＰではＳＧＳＮ（Ｓｅｒｖｉｎｇ  ＧＰＲＳ  Ｓｅｒｖｉｃｅ  Ｎｏｄｅ）、３ＧＰＰ２ではＰＤＳＮ（Ｐａｃｋｅｔ  Ｄａｔａ  Ｓｅｒｖｉｃｅ  Ｎｅｔｗｏｒｋ）と呼ばれる。ＰＳドメインサーバー１３１とＰＳドメインサーバー１３３は、端末１０１と端末１０３のユーザ認証を実施した後、ＰＳドメイン使用権とＰＳドメインにおいて使うベアラー情報を上記端末へ伝送する。上記端末１０１と端末１０３の加入者認証手続に関する詳細な説明は省略し、また上記端末１０１及び端末１０３がＲＡＮ１１０、１２０を介してＣＮ１３０とデータを送受信するためのＲＡＮ１１０、１２０とＣＮ１３０間における必要な手続に関する詳細な説明も省略した。 
【０００９】
上記ＰＳドメイン使用権及びＰＳドメインにおいて使うベアラー情報を獲得した端末１０１と端末１０３は、ＰｏＣサーバー１３５へＰｏＣサービス利用要求を伝送する。上記ＰｏＣサーバー１３５は、ＰｏＣサービスを提供する機能及びＰｏＣサービスを制御する機能を持つ論理エンティティである。上記ＰｏＣサーバー１３５は、端末１０１と端末１０３がＰｏＣサービスにおいて使うグループ識別子を設定し、ＰｏＣサービスに関する諸制御情報を端末１０１と端末１０３へそれぞれ伝送する。このようにして上記端末１０１と端末１０３は、ＰｏＣサービスに必要な情報を全て獲得する。
【００１０】
端末１０１のユーザが所定の内容を伝送したい場合、端末１０１は、ＰｏＣサーバー１３５に対してデータ伝送を要求し、ＰｏＣサーバー１３５は、該要求に対して承認可否を判断する。図１では、２台の端末１０１、１０３だけを図示したが、実際のＰｏＣサービスでは数百台の端末がＰｏＣサービスの利用許可を持っているため、上記ＰｏＣサーバー１３５の承認可否の判断は非常に重要である。上記ＰｏＣサーバー１３５が上記端末１０１に対してデータ伝送を承認すれば、上記端末１０１は、データをＰｏＣサーバー１３５へ伝送する。上記ＰｏＣサーバー１３５は、上記端末１０１からのデータを端末１０３へ伝送し、また上記端末１０１と同じＰｏＣサービスに加入した他の端末にも伝送する。上記端末１０３のユーザが所定のデータを伝送したい場合にも、上記と同じ手続が行われる。
【００１１】
上記図１で説明したように、ＰｏＣサービスはマルチポイント通信の特性を有する。しかしながら、実際のデータ伝送面からみると、ＣＮ１３０とＰｏＣサービスを利用する端末１０１、１０３のそれぞれは、１：１対応を有するベアラーを設定するようになる。それぞれの端末は、アップリンク／ダウンリンク伝送時に専用ベアラーを介して送受信するようになる。アップリンク経路においては、それぞれのユーザデータを伝送するのに専用ベアラーを使うのが当たり前であるが、ダウンリンク経路を通じて伝送されるデータは、全ての端末に対して共通した内容であるため、それぞれの端末が専用ベアラーを持っていることは有無線資源の無駄使いをもたらし得る。
【００１２】
上記図１では、セルＡ１１３に１台の端末だけを示しているが、事務室、工場あるいは狭い地域において同じＰｏＣサービスを利用する多数の端末が存在していて、１つのセル下に多数台の端末が存在する場合、ＣＮ１３０及びＲＡＮ１１０は、同じ内容を持つデータを端末の数だけベアラーを設定して伝送する必要があるため、有無線資源の無駄使いをもたらすようになる。
【発明の開示】
【発明が解決しようとする課題】
【００１３】
そこで、本発明は、上記従来技術の問題点を解決するためになされたものであって、その目的は、ＰｏＣサービスを支援する移動通信システムにおいて、ＢＣＡＳＴサービスを用いて有無線資源を効率よく使うことができる方法及び装置を提供することである。
【００１４】
本発明の他の目的は、ＰｏＣサービスを提供する運営主体とＢＣＡＳＴサービスを提供する運営主体間における効率よいデータ及び制御情報の伝送のための方法及び装置を提供することである。
【００１５】
本発明のまた他の目的は、ＰｏＣサービスとＢＣＡＳＴサービスを提供するに際し、ＰＳドメイン運営主体の効率よい動作方法を提供することである。
【００１６】
本発明の更なる目的は、ＰｏＣサービスとＢＣＡＳＴサービスを提供するに際し、ＲＡＮ運営主体の効率よい動作方法を提供することである。
【００１７】
本発明のまた他の目的は、ＰｏＣサービスとＢＣＡＳＴサービスを提供するに際し、端末の効率よい動作方法を提供することである。
【課題を解決するための手段】
【００１８】
上記目的を達成するための本発明の好適な実施の形態によるＢＣＡＳＴサービスを支援する無線通信システムにおけるＰｏＣサービスの提供方法は、ＢＣＡＳＴサービスを通じてＰｏＣサービスに加入された第１の端末がアップリンク専用ベアラーを介してＰｏＣサービスのためのユーザデータを伝送するステップと、上記ユーザデータが上記アップリンク専用ベアラーを介して上記第１の端末をサービスする第１のＲＡＮ及び第２のＰＳドメインサーバーを経由して上記ＰｏＣサービスを制御するＰｏＣサーバーに到達するステップと、上記ＰｏＣサーバーが上記ＢＣＡＳＴサービスを制御するＢＣＡＳＴサーバーへ上記ユーザデータを伝送するステップと、上記ユーザデータが上記ＢＣＡＳＴサーバーから上記ＰｏＣサービスに加入された複数の第２の端末をサービスする第２のＰＳドメインサーバー及び第２のＲＡＮを経由してダウンリンク共用ベアラーを介して上記複数の第２の端末に到達するステップと、を含むことを特徴とする。
【発明の効果】
【００１９】
本発明によるＢＣＡＳＴサービスを通じてＰｏＣサービスを提供する方法及び装置によれば、ＰｏＣサービスによって無駄使いされ得る有無線資源を節約し、ＰｏＣサービスの運営主体とＢＣＡＳＴサービスの運営主体間におけるＰｏＣサービスのためのシグナリングを支援する。このような本発明の主な効果は、ＰｏＣサービスのために上記ＰｏＣサービスに加入した全ての端末に対して１：１でデータを伝送するのではなく、ダウンリンク伝送のためにＢＣＡＳＴサービスを利用して無線でも１つの無線共用ベアラーを設定し、有線でも１つの有線共用ベアラーを設定することで有無線資源を節約することができる。無線移動通信の発達に伴い、各種の高速サービスが求められる実情下における無線資源の節約は、より良質の他のサービスを提供することができることを意味する。
【発明を実施するための最良の形態】
【００２０】
以下、本発明の好適な実施の形態を添付した図面を参照して説明すれば、次のとおりである。
【００２１】
後述する詳細な説明では、上述した技術的課題を達成するための本発明における代表的な実施の形態を提示する。また、本発明の説明上の便宜のために非同期移動通信標準である３ＧＰＰで定義しているエンティティ及び名称を使うが、このようなことが本発明の適用範囲を限定するものではないことに留意しなければならない。
【００２２】
近来、通信技術の発達によって無線通信システムにおいて提供するサービスは、従来の音声サービスだけでなく、パケットデータ、サーキットデータなどの大容量のデータを伝送するパケットサービス通信に発達してきており、また、マルチメディアサービスを伝送することができるマルチメディア放送／マルチキャスト通信へと発展しつつある。したがって、上記マルチメディア放送／マルチキャスト通信を支援するために、１つまたは複数のマルチメディアデータソースから多数の端末へとサービスを提供するＢＣＡＳＴサービスが工夫されている。
【００２３】
上記ＢＣＡＳＴサービスは、リアルタイム動画及び音声、静止画、文字などのマルチメディア形態を支援し、大量の伝送用資源を必要とする。１つのセルあるいは一定地域内において同時に多量のサービスが展開される可能性があるという面から、上記ＢＣＡＳＴは、放送チャンネルを介してサービスされる。また、上記ＢＣＡＳＴサービスは、３ＧＰＰのＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）と３ＧＰＰ２のＢＣＭＣＳ（Ｂｒｏａｄｃａｓｔ  Ｍｕｌｔｉｃａｓｔ  Ｓｅｒｖｉｃｅ）を始めとして、衛星を利用したＤＭＢ（Ｄｉｇｉｔａｌ  Ｍｕｌｔｉｍｅｄｉａ  Ｂｒｏａｄｃａｓｔｉｎｇ）及びＤＶＢ（Ｄｉｇｉｔａｌ  Ｖｉｄｅｏ  Ｂｒｏａｄｃａｓｔｉｎｇ）などの技術を含む。上記ＢＣＡＳＴサービスでは、使われる技術によってそれぞれの加入者が所望するサービスをそれぞれサービスするポイント・ツー・ポイント（Ｐｏｉｎｔ  ｔｏ  Ｐｏｉｎｔ：以下、ＰｔＰと称す）サービス及び多数の加入者に対して同じデータをサービスするポイント・ツー・マルチ（Ｐｏｉｎｔ  ｔｏ  Ｍｕｌｔｉ：以下、ＰｔＭと称す）サービスが可能となる。
【００２４】
図２は、本発明の好適な実施の形態によるＢＣＡＳＴサービスを通じてＰｏＣサービスを提供する構造を示した図である。上記図２におけるＣＮ２３０は、ＢＣＡＳＴサーバー２３７と、ＰｏＣサーバー２３５と、ＰＳドメインサーバー２３１とから構成され、その他のエンティティは、本発明の要旨と関係ないため省略した。
【００２５】
図２を参照すれば、ＢＣＡＳＴサーバー２３７は、ＢＣＡＳＴサービスを運用する論理的な運用主体であって、ＢＣＡＳＴサービスのためにデータの提供、加入者の認証、サービスの案内などの諸機能を統括する論理エンティティである。本発明においてＢＣＡＳＴサーバー２３７は、特定の地域内に位置している端末のためのＰｏＣサービスを支援することができるＢＣＡＳＴサービスを構成する。ＰｏＣサービスを支援するＢＣＡＳＴサービスとは、上記ＰｏＣサービスに加入した端末から送られてくるアップリンクデータをＰｏＣサーバー２３５から受信し、それを上記端末が位置している地域に放送チャンネルを介して伝送するサービスのことをいう。上記ＢＣＡＳＴサーバー２３７は、さらに上記サービスの開始を知らせ、上記サービスに加入した端末を管理する。
【００２６】
ＰｏＣサーバー２３５は、上記ＢＣＡＳＴサーバー２３７が提供するＰｏＣサービスのためのＢＣＡＳＴサービスに加入した端末から送られてくるアップリンクデータをＢＣＡＳＴサーバー２３７へ伝送する他、上記図１において説明した役割を果たす。
【００２７】
ＰＳドメインサーバー２３１は、ＰｏＣサービスやＢＣＡＳＴサービスなどのＣＮ２３０のＰＳドメインから提供されるサービスを利用しようとする端末を認証し、当該端末がＣＮ２３０において使うベアラーを割り当て設定する役割を果たす。
【００２８】
ＲＡＮ２１０は、ＲＮＣ２１１とセル（すなわち、ノードＢまたは基地局）２１３とから構成されている。通常、ＲＡＮ２１０は、基地局と基地局コントローラーとからなり、基地局コントローラーは多数の基地局を制御し、基地局は多数のセルを管理する。上記ＲＮＣ２１１は基地局コントローラーとなり、セル２１３は、上記ＲＮＣ２１１が管理する基地局の任意のセルとなる。
【００２９】
ＲＮＣ２１１は、本発明において提案されたＰｏＣサービスを伝送するＢＣＡＳＴサービスのダウンリンクデータが伝送されるダウンリンク共用ベアラーを設定し管理する役割を果たし、またＰＳドメインサーバー２３１からＢＣＡＳＴサービスのデータを受信する役割を果たし、端末の無線接続網の使用に係わる許可及びベアラー設定及び管理を司る。
また、上記ＰｏＣサービスを伝送するＢＣＡＳＴサービスに加入した端末のアップリンク伝送データをＰＳドメインサーバー２３１へ伝送する。セル２１３は、アップリンク無線信号を有線信号に、ダウンリンク有線信号を無線信号に変更する役割を果たし、それぞれの端末の無線信号を管理する役割を果たす。
【００３０】
端末Ａ２０１と端末Ｂ２０３は、特定の地域内に位置している端末であり、セル２１３からダウンリンク共用ベアラーを受信することができる範囲内に位置している。上記端末Ａ２０１と端末Ｂ２０３は、ＰｏＣサービス及び上記ＰｏＣサービスのダウンリンク伝送データを伝送するＢＣＡＳＴサービスに加入している。上記端末Ａ２０１と端末Ｂ２０３は、無線リンク２５０と無線リンク２５１を介してセル２１３とデータをやり取りする。上記無線リンク２５０と無線リンク２５１は、無線アップリンクと無線ダウンリンクから構成されており、無線アップリンクは、各端末ごとに専用に割り当てられ、上記端末２０１、２０３のユーザからのデータを伝送し、無線ダウンリンクは、上記セル２１３内に位置しているＢＣＡＳＴサービスに加入した全ての端末が共通に受信することができる共用リンクである。
【００３１】
すなわち、上記図２において各端末２０１、２０３のユーザからのデータは専用に伝送し、任意のユーザからのデータは、他のユーザの端末へ共通に伝送する。すなわち、同じデータを全ての端末にそれぞれ伝送することで有線資源の無駄使い及び無線資源の無駄使いを抑え、ＢＣＡＳＴサービスを使うことによりＣＮ２３０からＲＡＮ２１０までも単一ベアラーを使い、ＲＡＮ２１０から各端末２０１、２０３までも共通の単一ベアラーを使い、その結果、有無線資源を効率よく節約する。
【００３２】
任意の端末が本発明において提案されたＰｏＣサービスのためのＢＣＡＳＴサービスを通じてＰｏＣサービスを受信する端末とＢＣＡＳＴサーバー、ＰｏＣサーバー、ＰＳドメインサーバー、及びＲＮＣ間におけるシグナリングの流れの一例が図３に示されている。
【００３３】
図３を参照すれば、ステップＳ３０１において、端末３２０がＲＡＮ３３０へ無線接続を要求し、上記無線接続に使うシグナリングベアラーの設定を行う。上記ステップＳ３０１において、端末３２０がＲＡＮ３３０から無線接続に使うベアラー情報を受信した後、ステップＳ３０２において、上記ベアラー情報を用いて設定したシグナリングベアラーを介してＰＳドメインサーバー３４０とＰＳ基幹回線網の登録を行う。上記ステップＳ３０２において、上記ＰＳドメインサーバー３４０が、上記端末３２０がＣＮのＰＳドメイン（以下、ＰＳ  ＣＮと称す）を利用できる資格を持っている端末であるか否かの認証作業を行う。このとき、上記ＰＳドメインサーバー３４０が上記認証作業のために別の認証サーバーと接続することもできるが、本発明の要旨を曖昧にしないためにその詳細な説明は省略する。ＰＳドメインサーバー３４０が、端末３２０がＰＳ  ＣＮを利用できる資格を持っていると判断すれば、上記ＰＳドメインサーバー３４０は、上記端末３２０からＰＳドメインサーバー３４０へデータを伝送するためのベアラーを設定するために、ＲＡＮ３３０と協議して上記端末３２０がＲＡＮ３３０とＰＳ  ＣＮにおいて使うベアラー情報を設定し、その情報をＲＡＮ３３０と端末３２０へ伝送する。
【００３４】
ステップＳ３０３において、端末３２０は、ＰｏＣサービスの要求過程によりＰｏＣサーバー３５０に対してＰｏＣサービスの登録を行う。上記ステップＳ３０３において、上記ＰｏＣサーバー３５０は、上記端末３２０が要求したＰｏＣサービスに対する認証作業を行い、それに対する応答を端末３２０へ伝送する。上記ステップＳ３０３とは独立して、ステップＳ３０４において、上記端末３２０は、ＢＣＡＳＴサービス加入要求をＢＣＡＳＴサーバー３６０へ伝送する。上記ＢＣＡＳＴサーバー３６０は、上記端末３２０が要請したＢＣＡＳＴサービスに対して、上記端末３２０に対する認証作業を行って、加入を受諾するか否かを決める。
【００３５】
ステップＳ３０５において、上記端末３２０からＰｏＣサービス及びＢＣＡＳＴサービス加入要求を受信したＰｏＣサーバー３５０とＢＣＡＳＴサーバー３６０は、上記端末３２０に関する情報をやり取りし、上記ＰｏＣサーバー３５０から伝送されてくる上記端末３２０のアップリンク伝送データを受信するベアラーを設定する。上記ステップＳ３０５は、上記ＰｏＣサーバー３５０とＢＣＡＳＴサーバー３６０間における上記端末３２０を所有したユーザに関する情報をやり取りするステップであって、上記ＰｏＣサーバー３５０とＢＣＡＳＴサーバー３６０のいずれのエンティティから先に開始してもよい。
【００３６】
ステップＳ３０６において、ＢＣＡＳＴサーバー３６０は、上記端末３２０、及び図示していない他の端末に対してＰｏＣサービスのダウンリンクデータを伝送するＢＣＡＳＴサービスに関する開始を知らせるセッション開始メッセージをＰＳドメインサーバー３４０へ伝送し、ステップＳ３０７において、ＰＳドメインサーバー３４０とデータの伝送のためのベアラーを設定する。上記セッション開始メッセージは、サービスの開始あるいはＢＣＡＳＴサーバーへ伝送するデータが生じた場合に伝送すればよいメッセージであって、本発明では、ＢＣＡＳＴサービスが初めて開始される場合について説明する。ＰＳドメインサーバー３４０は、ステップＳ３０８において、上記セッション開始メッセージをＲＡＮ３３０へ伝送し、ステップＳ３０９において、ＢＣＡＳＴサービスデータをＲＡＮへ伝送するベアラーを設定する。
【００３７】
ステップＳ３１０において、ＲＡＮ３３０は、通知過程により上記ＢＣＡＳＴサービスに加入した端末にＢＣＡＳＴサービスの開始を知らせ、端末３２０は、ＲＡＮ３３０から送られてくる通知メッセージから上記端末３２０が加入したＢＣＡＳＴサービスが始まることを認知する。ステップＳ３１１において、上記端末３２０は、ＲＡＮ３３０及びＰＳドメインサーバー３４０と上記ＢＣＡＳＴサービスを受信するダウンリンク共用ベアラーを設定し、上記端末３２０のユーザのデータをＰｏＣサービスを通じてアップリンク伝送するためにＰＳドメインサーバー３４０から権利を獲得し、上記ユーザのデータを伝送するための専用のアップリンク伝送ベアラーを設定する。上記アップリンク伝送の権利を獲得する理由は、ＰｏＣサービスを行う多数のユーザ間におけるアップリンク伝送の衝突を防止するためである。
【００３８】
ステップＳ３１２において、ＰＳドメインサーバー３４０は、上記端末３２０からのアップリンク伝送データをＰｏＣサーバー３５０へ伝送するベアラーを設定する。
【００３９】
上記ステップＳ３０１ないしステップＳ３１２は、本発明において提案された技術を使ってＰｏＣサービスとＢＣＡＳＴサービスを利用しようとする端末が上記２つのサービスに加入する過程、データの伝送のためにベアラーを設定する手続の一例を説明したものであって、実際のベアラー設定時点は、上記図３において決められた順にならないこともある。
【００４０】
ステップＳ３１３において、端末３２０は、ユーザの音声データあるいはユーザが上記ＢＣＡＳＴサービスを利用するＰｏＣサービスに加入した他の全てのユーザに伝送しようとするデータをＲＡＮ３３０へ伝送する。ステップＳ３１４において、ＲＡＮ３３０は、上記端末３２０からのデータをＰＳドメインサーバー３４０へ伝送し、ステップＳ３１５において、ＰＳドメインサーバー３４０は、上記データをＰｏＣサーバー３５０へ伝送する。上記ＰｏＣサーバー３５０は、上記ステップＳ３０５において設定されたベアラーを介して上記データをＢＣＡＳＴサーバー３６０へ伝送する。
【００４１】
ステップＳ３１７において、上記ＢＣＡＳＴサーバー３６０は、上記端末３２０からアップリンク伝送されたデータを、上記ステップＳ３０５において設定されたベアラーを介して、上記端末３２０と一緒にＰｏＣサービスのダウンリンクデータを伝送するＢＣＡＳＴサービスに加入した全ての端末（図示せず）へ伝送する。ステップＳ３１８において、ＰＳドメインサーバー３４０は、上記ステップＳ３０９において設定されたベアラーを介して上記ＢＣＡＳＴサーバー３６０から受信した上記端末３２０のデータをＲＡＮ３３０へ伝送し、ステップＳ３１９において、上記ＲＡＮ３３０は、上記端末３２０から伝送されたデータを、上記ＢＣＡＳＴサービスのために設定されたダウンリンク共用データベアラーを介して、上記ＢＣＡＳＴサービスに加入した他の端末が聞くことができるように伝送する。
【００４２】
なお、図示していないが、上記他の端末も上記ステップＳ３１３ないしステップＳ３１９の手続を通じてデータをアップリンク伝送したり、他のユーザのデータをダウンリンク受信したりする。
【００４３】
上記ＰｏＣサービスのダウンリンクデータを伝送するＢＣＡＳＴサービスの範囲は、１つのセルだけになるか、または幾つかのセルを含む所定の領域になることがあり、それは、サービスプロバイダの権限や設定によって決められる。
下記の図４〜図８は、上記図３において説明されたＢＣＡＳＴサーバー、ＰｏＣサーバー、ＰＳドメインサーバー、ＲＡＮ及び端末の動作を示したフローチャートである。
【００４４】
図４は、本発明の好適な実施の形態によるＢＣＡＳＴサーバーの動作を示したフローチャートである。
【００４５】
図４を参照すれば、ステップＳ４０１において、ＢＣＡＳＴサーバーは、端末からＰｏＣサービスのダウンリンクデータを伝送するＢＣＡＳＴサービスへの加入要求を受信し、ステップＳ４０２において、上記端末が要求するＢＣＡＳＴサービスへの加入資格有無を判断する。上記加入資格有無の判断は、ＢＣＡＳＴサーバーが直接に行うか、または、基幹回線網のユーザ認証サーバーが行うか、またはＢＣＡＳＴサーバーの要請によって上記認証サーバーが行えばよい。
【００４６】
上記判断の結果、上記端末が上記ＢＣＡＳＴサービスへの加入資格を有すると判断されれば、ステップＳ４０３において、ＢＣＡＳＴサーバーは、上記端末及び端末のユーザに関する情報をＰｏＣサーバーへ伝送し、ＰｏＣサーバーと関連情報をやり取りする。上記関連情報は、上記端末が加入したＰｏＣサービスに関する制御情報（一例として、識別子）や、上記ＰｏＣサービスのデータレートなどを含み得る。また、上記関連情報は、上記端末が加入した他のＰｏＣサービスに関する情報を含み得る。上記他のＰｏＣサービスに関する情報を受信したＢＣＡＳＴサーバーは、上記端末が要請したＢＣＡＳＴサービスを通じて上記端末が加入した全てのＰｏＣサービスを伝送することができるかどうかを判断し、それに基づいてＰＳドメインサーバーとＢＣＡＳＴデータの伝送のためのベアラーを設定する。
【００４７】
ステップＳ４０４において、ＢＣＡＳＴサーバーは、ＢＣＡＳＴサービスを通じて伝送する端末のデータをＰｏＣサーバーから受信するベアラーを設定する。
【００４８】
上記ＢＣＡＳＴのサービスの開始時点になると、ステップＳ４０５において、ＢＣＡＳＴサーバーは、セッション開始メッセージをＰＳドメインサーバーへ伝送し、ステップＳ４０６において、ＢＣＡＳＴサービスデータをＰＳドメインへ伝送するベアラーを設定するが、上記ステップＳ４０６は、上記ステップＳ４０５の前に行ってもよい。ステップＳ４０７においては、ＢＣＡＳＴサーバーは、上記ＰｏＣサーバーからＢＣＡＳＴサービスを通じて伝送する端末のデータを受信し、ステップＳ４０８において、上記受信した端末のデータをＰＳドメインサーバーへ伝送する。
【００４９】
図５は、本発明の好適な実施の形態によるＰｏＣサーバーの動作を示したフローチャートである。
【００５０】
図５を参照すれば、ステップＳ５０１において、ＰｏＣサーバーは、端末からＰｏＣサービスに関する加入要求を受信する。上記ＰｏＣサービスは、ＢＣＡＳＴサービスを通じて端末からのデータを他の全ての端末に対して共通ベアラーを使って伝送するサービスであり、ステップＳ５０２において、上記端末が要求したＰｏＣサービスへの加入資格有無を判断する。上記加入資格有無の判断は、ＰｏＣサーバーが直接行うこともでき、基幹回線網内の認証サーバーを利用して行ってもよい。ステップＳ５０３において、ＰｏＣサーバーは、上記端末に関する情報をＢＣＡＳＴサーバーから受信し、該関連情報をＢＣＡＳＴサーバーとやり取りする。このとき、上記図３において説明したように、ＰｏＣサーバーからＢＣＡＳＴサーバーへＢＣＡＳＴサービスを通じてＰｏＣサービスを利用する端末の情報が伝送されてもよい。
【００５１】
ステップＳ５０４において、ＰｏＣサーバーは、ＢＣＡＳＴサービスを通じて伝送する端末のデータをＢＣＡＳＴサーバーへ伝送するベアラーを設定する。ＰｏＣサーバーは、ステップＳ５０５において、ＰｏＣサーバーは、ＰＳドメインサーバーより上記端末から伝送されたデータを受信し、ステップＳ５０７において、上記データをＢＣＡＳＴサーバーへ伝送する。
【００５２】
図６は、本発明の好適な実施の形態によるＰＳドメインサーバーの動作を示したフローチャートである。
【００５３】
図６を参照すれば、ステップＳ６０１において、ＰＳドメインサーバーは、端末からＰＳ  ＣＮの登録要求を受信し、ステップＳ６０２において、上記端末が要求するＰＳ  ＣＮサービスへの加入資格有無を判断する。上記ＰＳ  ＣＮサービスとは、ＣＮのＰＳドメインを通じてパケット通信ができるようにするサービスのことをいう。上記加入資格有無の判断が終わると、ステップＳ６０３において、ＰＳドメインサーバーは、上記端末とＰＳドメイン間において制御データあるいは一般のデータを伝送することができるベアラーを設定する。ステップＳ６０４において、ＰＳドメインサーバーは、ＢＣＡＳＴサーバーからＰｏＣサービスのためのＢＣＡＳＴサービスに関するセッション開始メッセージを受信し、ステップＳ６０５において、ＰＳドメインサーバーは、ＢＣＡＳＴサーバーとＰＳドメインサーバー間における上記ＢＣＡＳＴサービスのデータをやり取りするベアラーを設定する。上記ステップＳ６０５は、上記ステップＳ６０４より先に行ってもよい。ＰＳドメインサーバーは、ステップＳ６０６において、ＲＡＮへセッション開始メッセージを伝送し、ステップＳ６０７において、ＲＡＮとの間におけるＢＣＡＳＴサービスデータのためのベアラーを設定する。
【００５４】
ステップＳ６０８において、上記ＰＳドメインサーバーは、該ＰＳドメインサーバーと上記端末間におけるＰｏＣサービスのためのデータ及び制御データを伝送するベアラーを設定する。ステップＳ６０９において、上記ＰＳドメインサーバーは、ＲＡＮからＢＣＡＳＴサービスのための端末のＰｏＣサービスデータを受信し、ステップＳ６１０において、上記受信したデータをＰＳドメインを通じてＰｏＣサーバーへ伝送する。また、上記ＰＳドメインサーバーは、ステップＳ６１１において、ＢＣＡＳＴサーバーからＰｏＣサービスのためのＢＣＡＳＴサービスデータを受信し、ステップＳ６１２において、上記ＢＣＡＳＴサービスデータをＲＡＮへ伝送する。
【００５５】
図７は、本発明の好適な実施の形態によるＲＡＮの動作を示したフローチャートである。
【００５６】
図７を参照すれば、ステップＳ７０１において、ＲＡＮは、端末から無線接続要求を受信し、ステップＳ７０２において、上記端末と無線接続を設定する。ＲＡＮは、ステップＳ７０３において、ＰＳドメインサーバーからＰｏＣサービスのためのＢＣＡＳＴサービスに関するセッション開始メッセージを受信し、ステップＳ７０４において、ＰＳドメインサーバーとの間における上記ＢＣＡＳＴサービスのデータを受信するベアラーを設定する。ステップＳ７０５において、ＲＡＮは、上記ＢＣＡＳＴサービスに加入した端末へ通知メッセージを伝送する。
【００５７】
ステップＳ７０６において、ＲＡＮは、上記端末へＢＣＡＳＴサービスを受信するためのチャンネル情報を伝送する。上記チャンネル情報は、上記端末が加入したＰｏＣサービスのダウンリンク伝送データを受信するようになる共用ベアラー情報であって、上記共用ベアラーを使うことによりＲＡＮは無線資源を節約することができる。ステップＳ７０７において、ＲＡＮは、端末がＰｏＣサービスのデータを伝送するためのアップリンク専用ベアラーを設定し、ステップＳ７０８において、上記設定されたアップリンク専用ベアラーを介して上記端末からＰｏＣサービスのデータを受信する。ＲＡＮは、ステップＳ７０９において、ＰＳドメインサーバーからＢＣＡＳＴサービスを通じて伝送する上記ＰｏＣサービスに加入された端末のデータを受信して、ステップＳ７１０において、上記受信したデータを他の端末へ共用ベアラーを介して伝送する。
【００５８】
図８は、本発明の好適な実施の形態による端末の動作を示したフローチャートである。
【００５９】
図８を参照すれば、ステップＳ８０１において、端末は、ＲＡＮに対して無線接続の設定を要求し、ステップＳ８０２において、無線接続の設定を完了する。上記無線接続の設定を完了したということは、上記ＲＡＮとデータをやり取りするベアラーの設定を完了したことを意味し、また、上記ＲＡＮを通じてＣＮと接続することができることを意味する。端末は、ステップＳ８０３において、上記設定された無線接続を通じてＰＳ  ＣＮ登録を要求し、ステップＳ８０４において、ＰＳ  ＣＮ登録を完了する。上記ＰＳ  ＣＮ登録を完了したということは、上記ＣＮのＰＳドメインを通じてパケットを伝送することができ、上記ＰＳドメインの他のエンティティにデータを伝送することができることを意味する。
【００６０】
上記端末は、ステップＳ８０５において、ＰＳドメインを通じてＰｏＣサーバーへＰｏＣサービス要求を伝送し、ステップＳ８０６において、上記ＰｏＣサーバーから加入許可の応答を受信した後、ＰｏＣサービスへの加入を完了する。上記端末は、ステップＳ８０７において、ＢＣＡＳＴサーバーへＢＣＡＳＴサービス要求を伝送し、ステップＳ８０８において、ＢＣＡＳＴサービスへの加入を完了する。
【００６１】
上記端末は、ステップＳ８０９において、上記ＲＡＮから加入されたＢＣＡＳＴサービスが始まるという通知メッセージを受信すれば、ステップＳ８１０において、上記ＢＣＡＳＴサービスを受信するベアラー情報を受信する。上記ＢＣＡＳＴサービスのためのベアラー情報は、専用ベアラーを介して受信するか、またはＢＣＡＳＴサービスに加入した全ての端末が受信可能な共用ベアラーを介して受信する。上記端末は、ステップＳ８１１において、ＰｏＣサービスを通じてデータを伝送するためのアップリンク伝送ベアラーを設定し、またＰｏＣサービスの使用のための許可権を獲得し、ステップＳ８１２において、ＰｏＣサービスデータの伝送のために設定されたベアラーを介してＰｏＣサービスデータを伝送する。上記端末は、ステップＳ８１３において、ＢＣＡＳＴサービスを通じて他の端末のデータを受信する。
【００６２】
以上、本発明の詳細な説明では具体的な実施の形態を挙げて説明したが、本発明の範囲から逸脱しない範囲内で種々の変形が可能であることは言うまでもない。例えば、本明細書では、単に１つのＰｏＣサーバーと１つのＢＣＡＳＴサーバーを経由するＢＣＡＳＴサービスを通じてのＰｏＣサービスの例を説明したが、物理的に分離されているが論理的に同じ機能を果たす複数のＰｏＣサーバーと複数のＢＣＡＳＴサーバーに対しても、ＰｏＣサーバーとＢＣＡＳＴサーバーとの間におけるシグナリングを通じて、本発明のＢＣＡＳＴサービスを通じてのＰｏＣサービスが可能であることは言うまでもない。ゆえに、本発明の範囲は、説明された実施の形態に限られるものではなく、特許請求の範囲のみならず該特許請求の範囲と均等なものなどによって決められるべきである。
【図面の簡単な説明】
【００６３】
【図１】無線通信網においてＰｏＣサービスを提供する構造の一例を示した図である。
【図２】ＢＣＡＳＴサービスを支援する無線通信網においてＰｏＣサービスを提供する構造の一例を示した図である。
【図３】本発明の好適な実施の形態による端末とＢＣＡＳＴサービスの運営主体とＰｏＣサービスの運営主体間におけるシグナリングを示したフローチャートである。
【図４】本発明の好適な実施の形態によるＢＣＡＳＴ運営主体の動作を示したフローチャートである。
【図５】本発明の好適な実施の形態によるＰｏＣ運営主体の動作を示したフローチャートである。
【図６】本発明の好適な実施の形態によるパケット網制御エンティティの動作を示したフローチャートである。
【図７】本発明の好適な実施の形態による無線接続網制御エンティティの動作を示したフローチャートである。
【図８】本発明の好適な実施の形態による端末の動作を示したフローチャートである。
【符号の説明】
【００６４】
２０１  端末Ａ
２０３  端末Ｂ
２１０  ＲＡＮ
２１１  ＲＮＣ
２１３  セル
２３０  ＣＮ
２３１  ＰＳドメインサーバー
２３５  ＰｏＣサーバー
２３７  ＢＣＡＳＴサーバー
２４０  ＰＳドメインサーバー
２５０  無線リンク
２５１  無線リンク
【図１】
2008510414.tif 000003
【図２】
2008510414.tif 000004
【図３】
2008510414.tif 000005
【図４】
2008510414.tif 000006
【図５】
2008510414.tif 000007
【図６】
2008510414.tif 000008
【図７】
2008510414.tif 000009
【図８】
2008510414.tif 000010
【国際調査報告】
2008510414.tif 000011
2008510414.tif 000012
2008510414.tif 000013